(57)【特許請求の範囲】
【請求項１】
内部にケーブルが収容されている管路において、前記管路を切断する際に、前記ケーブルを防護する円筒状のケーブル防護部材であって、
防護部材本体は、可撓性を有する部材、複数の第１の超硬部材、及び複数の第２の超硬部材から成り、半割可能な構造を有し、
前記可撓性を有する部材は、表面に、前記複数の第１の超硬部材及び前記複数の第２の超硬部材の形状に合わせた切削がなされており、
前記複数の第１の超硬部材及び前記複数の第２の超硬部材は、切削がなされた位置に埋め込まれて、前記可撓性を有する部材の前記表面に配置され、
前記複数の第１の超硬部材は前記ケーブル防護部材の円周方向に所定の間隔で配置され、
前記複数の第２の超硬部材は、前記複数の第１の超硬部材及び前記複数の第２の超硬部材を前記ケーブル防護部材の長手方向に投影したとき、隣接して配置される前記第１の超硬部材の間に位置するよう配置され、
前記複数の第１の超硬部材及び前記複数の第２の超硬部材を前記円周方向に投影すると前記長手方向に隙間が生じないことを特徴とするケーブル防護部材。
【請求項２】
内部にケーブルが収容されている管路において、前記管路を切断する際に、前記ケーブルを防護する円筒状のケーブル防護部材であって、
防護部材本体は、可撓性を有する部材と超硬部材から成り、半割可能な構造を有し、
前記可撓性を有する部材は、表面に、前記超硬部材の形状に合わせた切削がなされており、
前記超硬部材は、切削がなされた位置に埋め込まれて、前記可撓性を有する部材の表面にゼブラ状に配置されている、ことを特徴とするケーブル防護部材。
【請求項３】
請求項１又は２に記載のケーブル防護部材であって、
前記超硬部材の形状は、板状または棒状である、ことを特徴とするケーブル防護部材。
【請求項４】
請求項１乃至３のいずれか１項に記載のケーブル防護部材であって、
前記防護部材本体の両端部の位置に、前記可撓性を有する部材の全周にわたってリング状凸部を有する、ことを特徴とするケーブル防護部材。
【発明の詳細な説明】
【技術分野】
【０００１】
本発明は、ケーブルが収容されている通信管路を切断する際にケーブルを保護するケーブル防護部材に関する。
【背景技術】
【０００２】
地下に埋設されている、または橋梁に添架されている通信管路を補修により切断する場合は、管路内に収容されているケーブルを損傷させないため、専用の切管用適正工具（切断工具）により切断作業を実施している。その専用の切管用適正工具の一般的な構造としては、管路を切断する刃の部分がケーブルに達しないような構造となっているため、特別にケーブルへの防護をせずに作業を行っている。
【０００３】
しかしながら、橋梁添架管路の橋台際等においては、管路間隔が狭隘な箇所があり、専用の切管用適正工具では作業ができない場合がある。図９は、専用の切管用適正工具で管路を切断しているときの他の管路との位置関係を説明する図である。専用の切管用適正工具１１が使用可能な管路３の間隔は、工具により多少の差異があるが、図９に示すように、概ね３．５ｃｍ以上が必要である。そのため、管路３に間隔が３．５ｃｍ以下の場合は、専用の切管用適正工具１１が使用困難である。専用の切管用適正工具１１を使用せずに切管作業を行う場合は、切断する刃の部分がケーブル４に達することによってケーブル４を損傷させる虞がある。ケーブル４を損傷させないためには、管路切断部のケーブル４を防護部材により包み込む必要があり、その防護部材を、管路切断位置まで管路内を移動させる必要がある。
【０００４】
一方において、地中埋設物に対して、その形状や埋設形態に応じて板状体（平板、曲板）、樋状体、筒状体（半割り型、一体型）のセラミック材による切断損傷防御部材が適用されることがある（非特許文献１参照）。
【先行技術文献】
【非特許文献】
【０００５】
【非特許文献１】セラミックス保護板の切断抵抗評価（建設機械Ｖｏｌ．４４，Ｎｏ．７，Ｐａｇｅ５５−６０，２００８．０７．０１，日本
【発明の概要】
【発明が解決しようとする課題】
【０００６】
しかしながら、ケーブルを防護する部材として、上述したセラミック材による防御部材を用いた場合、セラミック材が極めて硬度の高い材料であり、可撓性がないため、防護部材を、管路切断位置まで管路内を移動させることが困難であり、また、防護部材に対して防護機能に合わせた加工を行うことが困難である。そのため、上述したセラミック材による防御部材は、管路内に収容されたケーブルの防護部材として使用できず、管路間隔が狭隘な箇所において補修のための切管作業を行うときには、依然としてケーブルに損傷を与える虞があった。
【０００７】
本発明は、このような問題点に鑑みてなされたものであり、本発明の目的は、管路間隔が狭隘な箇所において専用の切管用適正工具が使用できない場合でも、ケーブルに損傷を与えることなく、補修のための切管作業が可能となるケーブル防護部材を提供することにある。
【課題を解決するための手段】
【０００８】
上記目的を達成するため、本発明は、内部にケーブルが収容されている管路において、前記管路を切断する際に、前記ケーブルを防護する円筒状のケーブル防護部材であって、防護部材本体は、可撓性を有する部材、複数の第１の超硬部材、及び複数の第２の超硬部材から成り、半割可能な構造を有し、前記可撓性を有する部材は、表面に、前記複数の第１の超硬部材及び前記複数の第２の超硬部材の形状に合わせた切削がなされており、前記複数の第１の超硬部材及び前記複数の第２の超硬部材は、切削がなされた位置に埋め込まれて、前記可撓性を有する部材の前記表面に配置され、前記複数の第１の超硬部材は前記ケーブル防護部材の円周方向に所定の間隔で配置され、前記複数の第２の超硬部材は、前記複数の第１の超硬部材及び前記複数の第２の超硬部材を前記ケーブル防護部材の長手方向に投影したとき、隣接して配置される前記第１の超硬部材の間に位置するよう配置され、前記複数の第１の超硬部材及び前記複数の第２の超硬部材を前記円周方向に投影すると前記長手方向に隙間が生じないことを特徴とする。
【００１０】
また、本発明は、内部にケーブルが収容されている管路において、前記管路を切断する際に、前記ケーブルを防護する円筒状のケーブル防護部材であって、防護部材本体は、可撓性を有する部材と超硬部材から成り、半割可能な構造を有し、前記可撓性を有する部材は、表面に、前記超硬部材の形状に合わせた切削がなされており、前記超硬部材は、切削がなされた位置に埋め込まれて、前記可撓性を有する部材の表面にゼブラ状に配置されていることを特徴とする。
【００１１】
前記超硬部材の形状は、板状または棒状であることが好ましい。また、前記防護部材本体の両端部の位置に、前記可撓性を有する部材の全周にわたってリング状凸部を有することが好ましい。
【発明の効果】
【００１２】
本発明よれば、管路間隔が狭隘な箇所において専用の切管用適正工具が使用できない場合でも、管路内に収容されたケーブルを防護できることから、ケーブルに損傷を与えることなく、補修のための切管作業が可能となる。
また、専用の切管用適正工具が使用できないために、不良設備、不安定設備が解消されないことに対して、安全な補修施工が可能となる。
【図面の簡単な説明】
【００１３】
【図１】本発明によるケーブル防護部材の管路内への設置例を示す図である。
【図２】本発明によるケーブル防護部材の詳細を示す図である。
【図３】本発明によるケーブル防護部材を半割状態で示す斜視図である。
【図４】超硬部材を千鳥状の配置としたケーブル防護部材を示す図である。
【図５】超硬部材をメッシュ状の配置としたケーブル防護部材を示す図である。
【図６】超硬部材をゼブラ状の配置としたケーブル防護部材を示す図である。
【図７】ケーブル防護部材の側面図である。
【図８】ケーブル防護部材の切断対象位置への挿入方法を説明する図である。
【図９】専用の切管用適正工具で管路を切断しているときの他の管路との位置関係を説明する図である。
【発明を実施するための形態】
【００１４】
本発明の実施の形態について、図面を参照して説明する。本発明のケーブル防護部材は、管路内に収容されたケーブルを包み込む防護が必要であり、また、そのような形態のまま管路切断位置まで管路内を移動させるため、管路内に収容されたケーブルを包み込むための半割可能な構造と、管路内を移動させるため、挿入または牽引するための部材を接続する構造と、セラミック部材等を配置、組み込むための構造が不可欠である。
【００１５】
また、部材の可撓性についての規定は特に定めないが、管路自体の多少の屈曲、継手部での屈曲、または内面の錆腐食による凹凸部の箇所に対して、管路内の挿入移動が容易に可能となることが必要である。また、上記の屈曲部において、ケーブル防護部材の挿入時にケーブルへの損傷防止、ケーブルへの負荷軽減の観点からも可撓性を有することが必要である。
【００１６】
図１は、本発明によるケーブル防護部材の管路内への設置例を示す図である。図１は、本発明によるケーブル防護部材１が、管路切断位置２において、管路３内に収容されたケーブル４を包み込んでいる状態を示している。また、図２は、本発明によるケーブル防護部材の詳細を示す図である。図２（ａ）は正面図であり、図２（ｂ）は側面図である。本発明によるケーブル防護部材１は、円筒状であり、可撓性部材５と、切断工具の刃に抵抗する超硬部材６から成り、半割可能な構造を有している。また、ケーブル防護部材１の両端部の位置にはリング状凸部８が設けられている。図３は、本発明によるケーブル防護部材を半割状態で示す斜視図である。図３（ａ）は、一方の半割状態のケーブル防護部材を示しており、図３（ｂ）は、他方の半割状態のケーブル防護部材を示している。図３（ａ）、（ｂ）の半割状態のケーブル防護部材で、管路内に収容されたケーブルを包み込んでケーブルを防護する。
【００１７】
可撓性部材５としては、塩化ビニルパイプ製のほかに、ポリエチレン可撓管、その他プラスチック系樹脂製のパイプでも良い。
【００１８】
超硬部材６については、ダイヤモンドカッター、ダイヤモンド砥粒を固定したワイヤソーなどの特殊な切断工具に対しても切断抵抗性を有する部材として、セラミック材、超硬合金材がある。上記のほか、切断工具の刃の材質、特性に対して切断抵抗を有する場合は、ステンレス、チタン、タングステン、高炭素鋼のような硬い金属部材でもよい。
【００１９】
切断工具の刃に抵抗するセラミック等の超硬部材６は、可撓性部材５の外周の全面に配置されることが好ましい。しかし、セラミック等の超硬部材６は高価であることから、有効的となる部材寸法、配置を決定する。ケーブル防護部材１は、管路３内に多少の曲がりがあっても、目的の管路切断位置２まで挿入可能なように、ある程度の可撓性が必要であり、また超硬部材６がセラミック材の場合には、部材厚が薄く、幅に対して長い形状のものでは反り等の変形が生じる恐れがあるため、１つの部材を１０ｃｍ程度とする必要がある。
【００２０】
上述した構造を備えるために、ケーブル防護部材１は、超硬部材６を可撓性部材５のまわりに千鳥状の配置とする。図４は、超硬部材６を千鳥状の配置としたケーブル防護部材を示す図である。千鳥状の配置とすることにより、可撓性部材５の可撓性を損なうこともない。
【００２１】
超硬部材６の配置形状は、切断工具の刃に対して防護が満たされれば、任意の長さ、幅、またはメッシュ状の配置でもよい。図５は、超硬部材６をメッシュ状の配置としたケーブル防護部材を示す図である。
【００２２】
管路３内の形状変化に対し、対応可能とするために、超硬部材６の配置形状は、上述した千鳥状の配置、メッシュ状の配置よりも短い構造のゼブラ状の配置でもよい。図６は、超硬部材６をゼブラ状の配置としたケーブル防護部材を示す図である。また、上述した千鳥状配置やメッシュ状配置のケーブル防護部材よりも長さが短ければ、可撓性部材５の外周を全て超硬部材６で覆うようにしてもよい。
【００２３】
なお、超硬部材６の配置間隔は、図７の側面図に示すように、切断工具の円形形状の刃７に対しても防護可能となる間隔がよい。また、超硬部材６の形状は、板状のほか棒状の形状でもよい。
【００２４】
切断工具の刃７がセラミック等の超硬部材６へ接触した際の、超硬部材６のずれ、外れを防止するために、可撓性部材５については、超硬部材６の配置箇所に、超硬部材６の形状に合わせた切削加工を行い、そこに超硬部材６を埋め込む構造とする。可撓性部材５と超硬部材６は、接着剤、樹脂剤等により一体化される。
【００２５】
また、ケーブル防護部材１を管路３内へ挿入する場合に、組み込んだ超硬部材６の角部が管内面に引っ掛かるのを防止するため、および管内面との摩擦軽減のため、ケーブル防護部材１の両端部の位置に、可撓性部材５の全周にわたってリング状凸部８を設けるようにしてもよい。
【００２６】
図８は、ケーブル防護部材の切断対象位置への挿入方法を説明する図である。ケーブル防護部材１の管路切断位置２への挿入は、専用の切管用適正工具により管路切断が可能である管路間隔が標準の位置において管路３を切断、除去した後、その開口端部から行われる。
【００２７】
ケーブル防護部材１は、ケーブル防護部材１に挿入ロッド９を連結して挿入される。挿入ロッド９には、挿入位置を示す目盛が付加されており、この目盛りにより、管路切断位置２が、開口端部または橋台１０の際の任意の位置であっても、管路切断位置２にケーブル防護部材１を挿入できるので、本発明によるケーブル防護部材１は、管路切断時のケーブルの防護が可能である。
【００２８】
上述したように、本発明によるケーブル防護部材は、加工が可能な可撓性部材とセラミック部材等の超硬部材との複合構造とすることで、管路内を移動させる可撓性と切断防護機能を合わせ持つので、切断工具の種別に関わらずケーブルを防護することが可能のほか、任意の管路切断位置でのケーブルの防護が可能である。
【符号の説明】
【００２９】
１  ケーブル防護部材
２  管路切断位置
３  管路
４  ケーブル
５  可撓性部材
６  超硬部材
７  刃
８  リング状凸部
９  挿入ロッド
１０  橋台
１１  切管用適正工具
【図１】
0005611131.tif 000002
【図２】
0005611131.tif 000003
【図３】
0005611131.tif 000004
【図４】
0005611131.tif 000005
【図５】
0005611131.tif 000006
【図６】
0005611131.tif 000007
【図７】
0005611131.tif 000008
【図８】
0005611131.tif 000009
【図９】
0005611131.tif 000010